(57)【特許請求の範囲】
【請求項１】
中通し竿の竿体先端に配置され内部を釣糸が通過するトップガイドであって、
前記竿体の穂先側に配置され前記竿体の先端外周に嵌合固定される装着筒部に着脱自在に装着される第１筒部と、前記第１筒部の穂先側に配置され前記第１筒部に着脱自在に装着され内径が前記第１筒部より大きい第２筒部を備え、
前記第１筒部の先端部は、前記竿体先端より突出し、かつ、第２筒部の内部に配置され、前記第１筒部先端部内径は、前記竿体先端部内径より小さい
中通し竿に取り付けられるトップガイド。
【請求項２】
前記第１筒部及び第２筒部は前記装着筒部及び第１筒部にねじ嵌合によりそれぞれ着脱自在に装着されている、請求項１に記載の中通し竿に取り付けられるトップガイド。
【請求項３】
前記第１筒部の穂先側の内面に装着された環状の第１釣糸案内部をさらに備える、請求項１又は２に記載の中通し竿に取り付けられるトップガイド。
【請求項４】
前記第２筒部の穂先側の内面に装着された環状の第２釣糸案内部をさらに備える、請求項３に記載の中通し竿に取り付けられるトップガイド。
【請求項５】
前記第１釣糸案内部の内径は前記第２釣糸案内部の内径より小さい、請求項４に記載の中通し竿に取り付けられるトップガイド。
【請求項６】
前記第１釣糸案内部の内径は前記竿体の内径より小さい、請求項３から５のいずれかに記載の中通し竿に取り付けられるトップガイド。
【請求項７】
前記各釣糸案内部は硬質セラミック製のリング部材からなる、請求項４から６のいずれかに記載の中通し竿に取り付けられるトップガイド。
【請求項８】
前記第２筒部の前記第１筒部より穂先側の周面には、内外周を貫通する異物排出孔が形成されている、請求項１から７のいずれかに記載の中通し竿に取り付けられるトップガイド。
【請求項９】
内部に釣糸が通過可能な中通し竿であって、釣糸が通過する釣糸通路を内部に有する竿体と、前記竿体の先端に配置された請求項１から８のいずれかに記載の中通し竿に取り付けられるトップガイドと、を備えた中通し竿。
【請求項１０】
前記竿体の釣糸通路の少なくとも一部には釣糸を案内する案内凸部が形成されている、請求項９に記載の中通し竿。
【発明の詳細な説明】
【０００１】
【発明の属する技術分野】
本発明は、内部に釣糸が通過可能な中通し竿と、このような中通し竿の先端に配置されるトップガイドに関する。
【０００２】
【従来の技術】
中通し竿においては、釣糸の繰り出し及び巻き取りの際に、竿体の内部に設けられた釣糸通路を釣糸が通過する。釣糸は竿体の先端から外部に延びている。このような中通し竿では、竿体の先端で釣糸の方向が変わるので、竿体先端の角部で釣糸が擦られて切れたり弱くなったりしやすい。
【０００３】
そこで、竿体先端に釣糸を保護するためのトップガイドが設けられる。トップガイドには、金属などからなる管体の内面に摩擦係数の小さなセラミックスなどからなる保護リングが装着されている。この保護リングにより釣糸が滑らかに案内され、釣糸が切れたり弱くなるのを防止することができる。
トップガイドの具体的技術が、実開平６−２４４６４号公報に示されている。この技術では、トップガイドの穂先側と後端側の２個所に釣糸と接触するセラミックリングを設け、そのうちの後端側のセラミックリングの内径をトップガイド本体の内径よりも小さくしてある。このように後端側のセラミックリング内径を小さくすることよって、釣糸の抵抗を少なくするとともに釣糸でトップガイドの内面が傷つかないようにしている。
【０００４】
【発明が解決しようとする課題】
前記従来のトップガイドでは、竿体先端に隣接してセラミックリングが配置されているので、釣糸が竿体先端に接触する心配は少ない。しかし、径が異なる複数のセラミックリングをトップガイドに並べて取り付けると、小さい径のセラミックリングの前後に釣糸に付着した水分や砂等の異物が溜まりやすい。このように異物が溜まると釣糸の抵抗が増加するため、掃除をして異物を取り除く必要がある。しかし、前記従来のトップガイドでは径が小さいセラミックリングがトップガイドの奥に位置しているので、仮にトップガイドを竿体に対して着脱自在に構成しても、２つのセラミックリングの間や内部に溜まった異物を除去しにくい。
【０００５】
本発明の課題は、中通し竿のトップガイドにおいて、釣糸の保護を良好に行えるとともに内部に異物が溜まっても簡単に除去できるようにすることにある。
【０００６】
【課題を解決するための手段】
発明１に係る中通し竿に取り付けられるトップガイドは、中通し竿の竿体先端に配置され内部を釣糸が通過するトップガイドであって、前記竿体の穂先側に配置され前記竿体の先端外周に嵌合固定される装着筒部に着脱自在に装着される第１筒部と、前記第１筒部の穂先側に配置され前記第１筒部に着脱自在に装着され内径が前記第１筒部より大きい第２筒部を備え、前記第１筒部の先端部は、前記竿体先端より突出し、かつ、第２筒部の内部に配置され、前記第１筒部先端部内径は、前記竿体先端部内径より小さい。
【０００７】
このトップガイドでは、釣糸が内部を通過すると第２筒部より径が小さい第１筒部の内周面に接触し第１筒部の内部やその前後に異物が溜まりやすい。この第１筒部及び第２筒部は竿体及び第２筒部に対してそれぞれ着脱自在であるため、異物が溜まれば第１筒部及び第２筒部を竿体及び第１筒部からそれぞれ離脱させる。これにより第１筒部の内部やその前後に溜まった異物を簡単に除去できる。しかも、第１筒部と第２筒部とで釣糸を案内できるので釣糸の保護を良好に行える。
【０００８】
さらに、発明１に係る中通し竿に取り付けられるトップガイドは、竿体は、先細り筒状の竿本体と、竿本体の先端の外周に嵌合固定される装着筒部とを有し、第１筒体は、装着筒部の穂先側に配置され装着筒部に着脱自在に装着されている。この場合には、トップガイドに竿体との着脱用の構成（装着筒部）をつくりこむ必要がないので、トップガイドの構成が簡素になる。
【００１０】
発明２に係る中通し竿のトップガイドは、発明１に記載のガイドにおいて、第１筒部及び第２筒部は装着筒部及び第１筒部にねじ嵌合によりそれぞれ着脱自在に装着されている。この場合には、着脱用の構成をねじ構造で実現することで、着脱用の構成が簡素化する。
【００１１】
発明３に係る中通し竿のトップガイドは、発明１又は２に記載のガイドにおいて、第１筒部の穂先側の内面に装着された環状の第１釣糸案内部をさらに備える。この場合には、第１筒部の穂先側に第１釣糸案内部を装着することで、釣糸の保護をより良好に行える。
発明４に係る中通し竿のトップガイドは、発明３に記載のガイドにおいて、第２筒部の穂先側の内面に装着された環状の第２釣糸案内部をさらに備える。この場合には、第１釣糸案内部に加えて第２筒部の穂先側に第２釣糸案内部を装着することで、釣糸の保護をより良好に行える。
【００１２】
発明５に係る中通し竿のトップガイドは、発明４に記載のガイドにおいて、第１釣糸案内部の内径は第２釣糸案内部の内径より小さい。この場合には、第１釣糸案内部の内径が小さいので、異物が第１釣糸案内部の前後により溜まりやすくなり、異物の除去を確実に行える。
発明６に係る中通し竿のトップガイドは、発明３から５のいずれかに記載のガイドにおいて、第１釣糸案内部の内径は竿体の内径より小さい。この場合には、第１釣糸案内部の内径が竿体の内径より小さいので、竿体の先端部で釣糸が竿体に接触しにくくなり、釣糸の保護をより良好に行える。
【００１３】
発明７に係る中通し竿のトップガイドは、発明４から６のいずれかに記載のガイドにおいて、各釣糸案内部は硬質セラミック製のリング部材からなっている。この場合には、表面が滑らかで摩擦係数が小さく耐久性に優れた硬質セラミック製のリング部材からなる釣糸案内部により釣糸が案内されるので、釣糸の保護をより良好に行えるとともに、釣糸案内部が損傷しにくくなり、トップガイドの耐久性も向上する。
【００１４】
発明８に係る中通し竿のトップガイドは、発明１から７のいずれかに記載のガイドにおいて、第２筒部の第１筒部より穂先側の周面には、内外周を貫通する異物排出孔が形成されている。この場合には、第１筒部より穂先側に溜まった異物の一部は異物排出孔から排出させることができるので、第１筒部より穂先側に異物が溜まりにくくなる。
【００１５】
発明９に係る中通し竿は、内部に釣糸が通過可能な竿であって、竿体と、トップガイドとを備えている。竿体は、釣糸が通過する釣糸通路を内部に有している。トップガイドは、竿体の先端に配置された請求項１から８のいずれかに記載のガイドである。この中通し竿では、釣糸が釣糸通路とトップガイドとを通過したときに第１筒部の径が小さいので異物が第１筒部に溜まりやすい。この第１筒部は着脱自在なため、発明１と同様に異物を簡単に除去でき、しかも釣糸の保護を良好に行える。
【００１６】
発明１０に係る中通し竿は、発明９に記載の竿において、竿体の釣糸通路の少なくとも一部には釣糸を案内する案内凸部が形成されている。この場合には、トップガイドの２つの筒部と案内凸部とで釣糸を案内するので、釣糸の案内及び保護を確実に行える。
【００１７】
【発明の実施の形態】
図１に示す本発明の一実施形態による中通し竿１０は、中通し竿１０を操作するためのグリップ部１２と、グリップ部１２の穂先側に連結された竿体１４と、竿体１４の先端に配置された筒状のトップガイド４０とを備えている。グリップ部１２の穂先側には、釣糸３０を巻回するリール２０が装着されている。竿体１４は筒状をなし内部に釣糸通路１５（図２）を有するとともに、竿元側に釣糸３０を内部に導入するための糸導入口１６を有する。竿体１４は、ガラス繊維、簡素繊維等の高強度繊維基材に樹脂を含浸させたプリプレグを先細り棒状のマンドレルに巻回し焼成して得られる先細り筒状の部材である。リール２０から引き出された釣糸３０は、糸導入口１６から竿体１４の内部に入り、トップガイド４０から外部に引き出される。
【００１８】
図２に示すように、トップガイド４０は、竿体１４の先端の外周に嵌合固定される装着筒部４１と、装着筒部４１の穂先側に配置された第１筒部４２と、第１筒部４２の穂先側に配置された第２筒部４３とを有している。これらの３つの筒部４１〜４３の外周面は滑らかに連続しており後端部（竿元側）にいくに従い小径となっている。
【００１９】
装着筒部４１は、たとえばステンレスやチタン合金等の耐食金属製の筒状部材であり、その先端部（穂先側）外周面には、竿体１４の外形に沿って第１雄ねじ部４１ａが形成されている。また、第１雄ねじ部４１ａから後端部にかけて外周面には、大径の末細りテーパ面４１ｂが形成されている。装着筒部４１は、接着などの適宜の固着手段により竿体１４に固定されている。しかし、着脱する必要があれば、竿体１４に対して着脱自在に嵌合されるようになっていてもよい。
【００２０】
第１筒部４２は、たとえばガラス繊維を混入した６６ナイロン等の弾性を有する合成樹脂製の筒状部材であり、装着筒部４１に着脱自在に装着されている。第１筒部４２の後端部内周面には第１雄ねじ部４１ａに螺合する第１雌ねじ部４２ａが形成されている。また、先端部は第１雌ねじ部４２ａより小径となっており、そこには、穂先側に突出した第１嵌入段部４２ｂが形成されている。また、第１雌ねじ部４２ａと第１嵌入段部４２ｂとの間には先細りのテーパ部４２ｃが形成されている。第１筒部４２の後端部外周面には第１筒部４２を回しやすくするためのローレット状溝部４２ｄが形成されており、先端部には第２雄ねじ部４２ｅが形成されている。この第２雄ねじ部４２ｅは、第１雌ねじ部４２ａに釣り竿の軸方向で重畳するように形成されている。
【００２１】
第２筒部４３は、たとえばステンレスやチタン合金等の耐食金属製の筒状部材であり、第１筒部４２に着脱自在に装着され内径が第１筒部４２より大きい。なお、ここでいう第１筒部４２及び第２筒部４３の内径とは、後述する第１釣糸案内部４５及び第２釣糸案内部４６の内径Ｄ1 及びＤ2 のことである。第２筒部４３の後端部内周面には第２雄ねじ部４２ｅに螺合する第２雌ねじ部４３ａが形成されている。また、先端部外周面は急激に先拡がりになっており、その先端部には第２嵌入段部４３ｂが形成されている。第２嵌入段部４３ｂの内径は第１嵌入段部４２ｂより大きい。第２雌ねじ部４３ａと第２嵌入段部４３ｂとの間において第１筒部４２より穂先側には、釣糸３０に付着した異物等を外部に排出するための４つの異物排出孔４３ｃが周方向に間隔を隔てて形成されている。異物排出孔４３ｃは、第２筒部４３の内外周を貫通して形成されている。
【００２２】
第１筒部４２の先端から内面側の第１嵌入段部４２ｂにかけて、後側の第１釣糸案内部４５が嵌め込まれている。第１釣糸案内部４５は、サーメットセラミックの成形体からなるリング部材である。第１釣糸案内部４５は、第１筒部４２の先端を覆っている。第１釣糸案内部４５の断面形状は、中心側に向けて滑らかに突出した湾曲形状をなしている。第１釣糸案内部４５の内径Ｄ1 は、竿体１４の内径ｄ0 よりも小さくなっている。
【００２３】
第２筒部４３の第２嵌入段部４３ｂには、前側の第２釣糸案内部４６が嵌め込まれている。第２釣糸案内部４６も第１釣糸案内部４５と同様の材料からなっている。第２釣糸案内部４６の断面形状も、中心側に向けて滑らかに突出した湾曲形状をなしている。第２釣糸案内部４６は第２筒部４３の先端を覆い、その先端外周が第２筒部４３の外周に一致している。第２釣糸案内部４６の内径Ｄ2 は、竿体１４の内径ｄ0 よりも大きくなっている。
【００２４】
このようなトップガイド４０を有する中通し竿１０では、リール２０からの釣糸３０は、内部の釣糸通路１５及びトップガイド４０の内部を通過してトップガイド４０の先端から導出される。そして、釣糸３０の繰り出し時や巻き取り時には、釣糸３０は釣糸通路１５や第１及び第２釣糸案内部４５，４６に接触する。ここで、第１釣糸案内部４５が最も小径であるので、釣糸３０に頻繁に接触しやすい。このため、糸繰り出し時には釣糸３０に付着した異物が第１釣糸案内部４５により扱かれて第１釣糸案内部４５の後側のテーパ部４２ｃに溜まりやすく、糸巻き取り時には釣糸３０に付着した異物が第１釣糸案内部４５の前側の第２筒部４３内に溜まりやすい。
【００２５】
このようにして第１釣糸案内部４５の前後に異物が溜まった場合には、図３に示すように、第１筒部４２及び第２筒部４３をそれぞれ取り外せばそれらの内部や竿体１４の先端部を簡単に掃除することができ、異物を容易に除去できる。しかも、第２筒部４３には異物を排出するための異物排出孔４３ｃが周面に設けられているので、異物が第２筒部４３内に溜まりにくい。
【００２６】
また、上記実施例では、２つの筒部４２，４３が着脱自在であるので、とくに、製造時や補修時に第１嵌入段部４２ｂに対して第１釣糸案内部４５を簡単に装着できる。
さらに、装着筒部４１及び第２筒部４３が金属製であり、その間の第１筒部４２が弾性を有する合成樹脂製であるので、互いにねじ結合しても金属と弾性を有する合成樹脂との結合によりねじの緩みが少なくなる。
【００２７】
また、装着筒部４１と第１筒部４２との締結部及び第２筒部と第２筒部との締結部が軸方向で重畳しているので、トップガイド４０全体の強度が強くなる。
〔他の実施形態〕
（ａ）  図４に示すように、竿体１４を製造するときにその先端に厚肉部１４ａを形成し、それにねじ加工して装着筒部４１を構成し、そこにトップガイド４０ａの第１筒部４２を着脱自在に装着してもよい。また、竿体１４自身の先端にねじ加工を直接行い、竿体１４にトップガイド４０ａの第１筒部４２を着脱自在に装着してもよい。
【００２８】
このトップガイド４０ａは、第１筒部４２と第２筒部４３とを有している。第１筒部４２は、前記実施形態と同様に、第１雌ねじ部４２ａと第１嵌入段部４２ｂとテーパ部４２ｃとローレット状溝部４２ｄと第２雄ねじ部４２ｅとを有している。また、ローレット状溝部４２ｄの後端部外周面は末細りテーパ面となっている。第２筒部４３の構成は前述した実施形態と同様である。
【００２９】
このような構成では、トップガイド４０ａにその着脱のための構成（装着筒部）が不要になるので、トップガイド４０ａの構成が簡素になる。
なお、図４に示す実施形態では、竿体１４の内面の釣糸通路１５に螺旋状に突出した釣糸案内凸部１５ａが形成されている。この釣糸案内凸部１５ａは釣糸通路１５の全体ではなく、少なくとも一部に設ければよい。釣糸案内凸部１５ａの断面形状は、中心側に向けて狭くなる概略台形状をなし、台形状の上辺角部が円弧状に丸められている。竿体１４の内部の釣糸通路１５を通過する釣糸３０は釣糸案内凸部１５ａに沿って移動する。この場合には、竿体１４の内径ｄ0 とは、突出した釣糸案内凸部１５ａの内径になる。
【００３０】
（ｂ）中通し竿１０の構造は、図示した実施例のほか、通常の中通し竿と同様の構造を適宜に組み合わせて構成することができる。リール２０やグリップ部１２、糸導入口１６などの構造も、通常の中通し竿と同様の構造が採用できる。
（ｃ）トップガイド４０の装着筒部４１、第１筒部４２及び第２筒部４３の材料は、前記実施例に限定されるものではなく、従来のトップガイドと同様の材料、具体的には金属、合成樹脂、木質材、セラミックなどの材料を用いることができる。
【００３１】
（ｄ）第１及び第２釣糸案内部４５、４６の材料は、前述したサーメットセラミックのように、摩擦係数が小さく耐久性に優れた材料が好ましい。サーメットセラミック以外のセラミックや金属、合成樹脂も使用できる。また、各釣糸案内部４５，４６をそれぞれの筒部４２，４３に一体で形成してもよい。
【００３２】
【発明の効果】
本発明に係るトップガイド及び中通し竿では、第１筒部は竿体及び第２筒部に対して着脱自在であるため、異物が溜まれば第１筒部及び第２筒部を竿体及び第１筒部からそれぞれ離脱させることで、第１筒部の内部やその前後に溜まった異物を簡単に除去できる。しかも、第１筒部と第２筒部とで釣糸を案内できるので釣糸の保護を良好に行える。
【図面の簡単な説明】
【図１】本発明の一実施形態による中通し竿全体の側面図。
【図２】トップガイドの拡大断面側面図。
【図３】その分解時の拡大断面図。
【図４】他の実施形態の図２に相当する図。
【符号の説明】
１０  中通し竿
１４  竿体
１５  釣糸通路
１５ａ  釣糸案内凸部
４０，４０ａ  トップガイド
４１  装着筒部
４１ａ  第１雄ねじ部
４２  第１筒部
４２ａ  第１雌ねじ部
４２ｅ  第２雄ねじ部
４３  第２筒部
４３ａ  第２雌ねじ部
４５  第１釣糸案内部
４６  第２釣糸案内部
【図１】
0003877096.tif 000002
【図２】
0003877096.tif 000003
【図３】
0003877096.tif 000004
【図４】
0003877096.tif 000005